(57)【要約】【課題】ゲート部を通過した遊技球が、先にゲート部を通過した遊技球と衝突することにより、ゲート部内に逆流して２度読みされてしまう虞を低減可能なパチンコ遊技機の提供。【解決手段】遊技球が通過可能な通過ゲート装置８を遊技領域に備え、通過ゲート装置８は、遊技球が通過可能なゲート部８１と、ゲート部８１の下方に設けられたガイド壁部８２とを備え、ガイド壁部８２により、ゲート部８１を通過した遊技球を斜め下方向に誘導する遊技球誘導通路８４が形成され、ガイド壁部８２には、誘導途中の遊技球がゲート部８１内に逆流することを防止する逆流防止面８２ｆが形成されているパチンコ遊技機。【選択図】図２
2011250832.tif 000002
【特許請求の範囲】
【請求項１】
遊技球が通過可能な通過ゲート装置を遊技領域に備えたパチンコ遊技機において、
前記通過ゲート装置は、遊技球が通過可能なゲート部と、前記ゲート部の下方に設けられたガイド壁部とを備え、
前記ガイド壁部により、前記ゲート部を通過した遊技球を斜め下方向に誘導する遊技球誘導通路が形成され、
前記ガイド壁部には、誘導途中の遊技球が前記ゲート部内に逆流することを防止する逆流防止面が形成されていることを特徴とするパチンコ遊技機。
【請求項２】
前記逆流防止面が、上端が下端に対し、鉛直方向から前記遊技球誘導通路の出口に近づくように傾斜した傾斜面とされていることを特徴とする請求項１記載のパチンコ遊技機。
【請求項３】
前記通過ゲート装置が、前記ゲート部の下方に設けられた球侵入防止壁部を備え、
前記球侵入防止壁部は、前記遊技球誘導通路を挟んで前記ガイド壁部側とは反対側に設けられて、前記遊技球誘導通路の出口以外からの遊技球の前記遊技球誘導通路への侵入を防止するように構成されていることを特徴とする請求項１または２記載のパチンコ遊技機。
【請求項４】
前記ガイド壁部の下部が、前記ゲート部の左右方向における中央を通る鉛直線を横切るように延びていることを特徴とする請求項１、２、または、３記載のパチンコ遊技機。
【発明の詳細な説明】
【技術分野】
【０００１】
本発明は、遊技領域に通過チャッカーが配置されているパチンコ遊技機に関する。
【背景技術】
【０００２】
下記特許文献１記載の遊技機は、通過チャッカーのゲート部に、ゲート部を通過した遊技球を斜め下方向に誘導する球ガイド部を設けることにより、ゲート部を通過した遊技球が、誘導釘に当たって跳ね返ってゲート部に逆流し、２度読みされてしまう虞を低減している。
【先行技術文献】
【特許文献】
【０００３】
【特許文献１】特開２００５−６７９７号公報
【発明の概要】
【発明が解決しようとする課題】
【０００４】
しかし、上記特許文献１記載の遊技機は、ゲート部を通過した遊技球が直に誘導釘に当たって跳ね返ることによる２度読みの虞は低減できるものの、先に通過した遊技球や他のルートから流下した遊技球が、誘導釘に当たって跳ねることにより、球ガイド部に誘導されている途中の遊技球に当たり、その誘導されている途中の遊技球がゲート部内に逆流して２度読みされてしまう虞は低減できないという問題があった。
【０００５】
図１０を用いて上述した問題について説明する。図１０は、特許文献１記載のものと同様の構成の通過チャッカー（以下、「通過ゲート装置」という。）１００を、図示したものである。図１０（ａ）に示すように、通過ゲート装置１００は、遊技球が通過可能なゲート部１０１と、ゲート部１０１の下方に配置されて、ゲート部１０１を通過した遊技球を斜め下方向に誘導する球ガイド部１０２とを有している。図１０（ｂ）に示すように、ゲート部１０１を通過した遊技球１０３が球ガイド部１０２に誘導されている途中で、先にゲート部１０１を通過した、或いは、別のルートから流下してきた遊技球１０４が遊技釘１０５に当たって跳ね返り、遊技球１０３に衝突することがある。すると、図１０（ｃ）に示すように、遊技球１０３がゲート部１０１内に逆流して２度読みされてしまうことがあった。
【０００６】
本発明は、上述した問題を解決するものであり、ゲート部を通過した遊技球が、先にゲート部を通過した遊技球や他のルートから流下した遊技球と衝突することにより、ゲート部内に逆流して２度読みされてしまう虞を低減可能なパチンコ遊技機を提供することを目的とする。
【課題を解決するための手段】
【０００７】
本発明のパチンコ遊技機は、遊技球が通過可能な通過ゲート装置を遊技領域に備えたパチンコ遊技機において、前記通過ゲート装置は、遊技球が通過可能なゲート部と、前記ゲート部の下方に設けられたガイド壁部とを備え、前記ガイド壁部により、前記ゲート部を通過した遊技球を斜め下方向に誘導する遊技球誘導通路が形成され、前記ガイド壁部には、誘導途中の遊技球が前記ゲート部内に逆流することを防止する逆流防止面が形成されていることを特徴とする。
ここで、前記逆流防止面は、上端が下端に対し、鉛直方向から前記遊技球誘導通路の出口に近づくように傾斜した傾斜面とすることができる。
また、前記通過ゲート装置が、前記ゲート部の下方に設けられた球侵入防止壁部を備え、前記球侵入防止壁部は、前記遊技球誘導通路を挟んで前記ガイド壁部側とは反対側に設けられて、前記遊技球誘導通路の出口以外からの遊技球の前記遊技球誘導通路への侵入を防止するように構成されていることが好ましい。
さらに、前記ガイド壁部の下部が、前記ゲート部の左右方向における中央を通る鉛直線を横切るように延びていることとしてもよい。
【発明の効果】
【０００８】
本発明のパチンコ遊技機によれば、逆流防止面により、誘導途中の遊技球がゲート部内に逆流して２度読みされてしまうことを防止できる。
【図面の簡単な説明】
【０００９】
【図１】本発明の第１実施形態に係るパチンコ遊技機の正面図である。
【図２】第１実施形態に係る通過ゲート装置の正面図である。
【図３】第１実施形態に係る通過ゲート装置の平面図である。
【図４】第１実施形態に係る通過ゲート装置の右側面図である。
【図５】図４のV-V部位断面図である。
【図６】第１実施形態に係る通過ゲート装置の、（ａ）はガイド壁部により遊技球が誘導されている途中、（ｂ）は逆流防止面により遊技球の逆流が防止された状態を示す図である。
【図７】本発明の第２実施形態に係る通過ゲート装置の正面図である。
【図８】第２実施形態に係る通過ゲート装置の、（ａ）はガイド壁部により遊技球が誘導されている途中、（ｂ）は逆流防止面により遊技球の逆流が防止された状態を示す図である。
【図９】第１実施形態の変形例を示す図である。
【図１０】従来の通過ゲート装置の、（ａ）は先に通過した遊技球に続いて後の遊技球が通過しようとしている状態、（ｂ）は後の遊技球が球ガイド部に誘導されている状態、（ｃ）は後の遊技球がゲート部内に逆流した状態を示す正面図である。
【発明を実施するための形態】
【００１０】
本発明の第１実施形態のパチンコ遊技機について説明する。図１に示すように、第１実施形態のパチンコ遊技機は、枠ランプ１７及びスピーカ１８が配設された前面枠１０と、前面枠１０の内側に配設された遊技盤１とを備え、遊技盤１には、レール１２で囲まれることにより、遊技球が流下する遊技領域２が形成されている。遊技領域２には、中央部に画像表示器３の画面３ａが配設され、画面３ａの下方には、電動チューリップ（電チュー）５を備えた始動入賞装置４が配設され、始動入賞装置４の下方には、大入賞装置７が配設されている。また、遊技領域２には、画面３ａの左方に、遊技球が通過可能な通過ゲート装置８が配設されている。なお、左右とは、パチンコ遊技機に向かって左右をいうものとする。さらに、遊技領域２には、複数の普通入賞装置９や、図示しない多数の遊技釘が配設され、遊技領域２の外側には、普通図柄表示器１３、特別図柄表示器１４、普通図柄保留ランプ１５、及び、特別図柄保留ランプ１６が配設されている。
【００１１】
普通図柄表示器１３は、遊技球の通過ゲート装置８の通過を契機として行われる普通図柄抽選の結果に応じた普通図柄を、普通図柄の変動表示を経て停止表示するものであり、停止表示された普通図柄が当たり図柄であれば、電チュー５を開閉する補助遊技が行われる。普通図柄の変動表示中または補助遊技中に、遊技球が通過ゲート装置８を通過すると、パチンコ遊技機が備える主制御基板（図示せず）は、その通過に対して取得した当たり乱数を、４個を上限として記憶（保留）しておき、普通図柄の変動表示を開始可能な状態になったときに、保留しておいた当たり乱数を用いて当たりか否かの判定を行い、普通図柄の変動表示を開始して判定結果を示す普通図柄を停止表示する。普通図柄保留ランプ１５は、保留されている当たり乱数の個数を表示するものである。
【００１２】
特別図柄表示器１４は、遊技球の始動入賞装置４への入賞を契機として行われる大当たり抽選の結果に応じた特別図柄を、特別図柄の変動表示を経て表示するものであり、特別図柄が大当たり図柄であれば、大入賞装置７を所定回数開閉する大当たり遊技が行われる。特別図柄の変動表示中または大当たり遊技中に、遊技球が始動入賞装置４に入賞すると、主制御基板は、その入賞に対して取得した大当たり乱数を、４個を上限として保留しておき、特別図柄の変動表示を開始可能な状態となったときに、保留しておいた大当たり乱数を用いて当たりか否かの判定を行い、特別図柄の変動表示を開始して判定結果を示す特別図柄を停止表示する。特別図柄保留ランプ１６は、保留されている大当たり乱数の個数を表示するものである。
【００１３】
図２〜４に示すように、通過ゲート装置８は、遊技盤１に取着されるベース部８０と、ベース部８０から前方に突設されたゲート部８１と、ゲート部８１の左右方向における一端部（ここでは、左端部）の下面から下方に延設されることにより、ゲート部８１の下方に設けられたガイド壁部８２と、ゲート部８１の左右方向における他端部（ここでは、右端部）の下面から下方に延設されることにより、ゲート部８１の下方に設けられた球侵入防止壁部８３とを備えている。
【００１４】
図３、５に示すように、ゲート部８１は、ベース部８０に一体形成された門型の枠部８６と、遊技球が通過可能な通過口８５ａを有したゲートスイッチ８５とから構成され、ゲート部８１には、枠部８６とベース部８０とで囲まれることにより、上下に貫通する矩形状の孔８７が形成されている。そして、ゲートスイッチ８５は、ベース部８０に形成された孔（図示せず）を介してベース部８０の後方から枠部８６内に挿入されて、孔８７内に通過口８５ａが配置される。したがって、遊技球は通過口８５ａを通過することにより、ゲート部８１を上下に通過する。なお、ゲートスイッチ８５は、ベース部８０の後方に突出する部分を有するが、この部分については図示していない。ゲートスイッチ８５は、遊技球の通過口８５ａの通過を検出し、その検出信号を主制御基板に送信するように構成されている。
【００１５】
図２に示すように、ガイド壁部８２は、ゲート部８１の左端部の下面から全体として右斜め下方向に延びつつ途中で屈曲された壁状をなし、ゲート部８１を通過した遊技球を斜め下方向に誘導する遊技球誘導通路８４（図２において薄墨を施した部分）を形成する。詳しくは、ガイド壁部８２は、ゲート部８１の左端部の下面から右斜め下方向に延びる第１壁部８２ａと、第１壁部８２ａの下端部から左斜め下方向に延びる第２壁部８２ｂと、第２壁部８２ｂの下端部から右斜め下方向に延びる第３壁部８２ｃとから構成されている。第１壁部８２ａと第３壁部８２ｃは、いずれも、正面視において外側（遊技球誘導通路８４側とは反対側）に膨らむ略円弧形状をなしている。また、第１壁部８２ａは第３壁部８２ｃよりも長さが短くされているため、ゲート部８１を通過した遊技球は、すぐに第３壁部８２ｃに至って第３壁部８２ｃに沿って斜め下方向に流下することとなる。第３壁部８２ｃは、ゲート部８１の左右方向における中央を通る鉛直線（図２において一点鎖線Ａで示す線。以下、「鉛直線Ａ」という。）よりも右側まで延びている。
【００１６】
球侵入防止壁部８３は、ゲート部８１の右端部の下面から左斜め下方向に、ガイド壁部８２よりも短く延びる壁状をなし、遊技球誘導通路８４を挟んでガイド壁部８２とは反対側に設けられている。球侵入防止壁部８３の下端部８３ａと、第１壁部８２ａの下端部（すなわち、第１壁部８２ａと第２壁部８２ｂとの境界部）８２ｄとの間隔は、遊技球の直径より大きく、下端部８３ａとガイド壁部８２の下端部８２ｅとの間隔は、遊技球の直径より僅かに大きくされている。この球侵入防止壁部８３の下端部８３ａとガイド壁部８２の下端部８２ｅとの間、すなわち、図２において二点鎖線で示した部分が、遊技球誘導通路８４の出口８４ａとなる。すなわち、ゲート部８１を通過した遊技球は、下端部８２ｄと下端部８３ａとの間を通過して、第３壁部８２ｃに誘導され、下端部８２ｅと下端部８３ａとの間から遊技球誘導通路８４外に出る。なお、遊技球誘導通路８４は、ガイド壁部８２と球侵入防止壁部８３とで囲まれる部分とも言える。
【００１７】
また、第２壁部８２ｂの遊技球誘導通路８４側の面８２ｆは、上端が下端に対し、鉛直方向（図２に一点鎖線Ｂで示す方向）から、遊技球誘導通路８４の出口８４ａに近づくように傾斜した傾斜面とされている。面８２ｆは、第３壁部８２ｃに誘導されている途中の遊技球がゲート部８１内に逆流することを防止する逆流防止面となるため、以下、逆流防止面８２ｆと表記する。なお、本実施形態では、逆流防止面８２ｆは平面であるが、円弧面等の湾曲面としてもよい。
【００１８】
以上のように構成された通過ゲート装置８の作用・効果について、図６に基づいて説明する。図６（ａ）に示すように、遊技球Ｂ１は、通過ゲート装置８のゲート部８１を通過すると、ガイド壁部８２に誘導されて出口８４ａに向かう。すなわち、遊技球Ｂ１は、斜め下方向に誘導される。この誘導途中で、先にゲート部８１を通過して遊技球誘導通路８４から外部に出た遊技球Ｂ２が、遊技釘６に当たって矢印に示すように跳ね返り、遊技球Ｂ１に衝突したとする。すると、遊技球Ｂ１は斜め上方向に逆流する。ところが、この逆流途中に、逆流防止面８２ｆが、上端が下端に対し、鉛直方向から出口８４ａに近づくように傾斜して設けられており、すなわち、出口８４ａ方向に近づくように斜め下を向いて設けられているため、遊技球Ｂ１の逆流方向に逆流防止面８２ｆが対向することとなり、図６（ｂ）に示すように、遊技球Ｂ１の逆流は逆流防止面８２ｆにより阻止される。したがって、遊技球Ｂ１がゲート部８１内に戻って２度読みされることが防止される。
【００１９】
なお、球侵入防止壁部８３により、遊技球誘導通路８４への遊技球Ｂ２の侵入は出口８４ａからの侵入に限られるため、遊技球誘導通路８４への遊技球Ｂ２の侵入の虞が低減される。したがって、遊技球Ｂ１が２度読みされる虞は、球侵入防止壁部８３によっても低減される。
【００２０】
また、ガイド壁部８２の下部（すなわち、第３壁部８２ｃ）は、ゲート部８１の左端部から、ゲート部８１の左右方向における中央を通る鉛直線Ａ（図２参照）よりも右側まで延びている。すなわち、鉛直線Ａを横切るように延びているため、真下からの遊技球誘導通路８４への遊技球Ｂ２の侵入は、ガイド壁部８２によって阻止される。したがって、ゲート部８１を通過した遊技球Ｂ１が遊技球Ｂ２により真上に押し戻されて２度読みされる虞が、低減される。なお、本実施形態では、ガイド壁部８２は鉛直線Ａを斜めに横切っているが、真横に横切ってもよい。
【００２１】
次に、本発明の第２実施形態について、図７、８に基づいて説明する。なお、第１実施形態の各構成要素に対応する構成要素については、同じ符号を用いて、その説明を省略する。第２実施形態は、ガイド壁部８２の形状以外は第１実施形態と同じ構成とされている。第１実施形態では、逆流防止面８２ｆが、ガイド壁部８２の（長さ方向における）中間部に設けられていたが、第２実施形態では、ガイド壁部８２の上部に設けられている。
【００２２】
第２実施形態の通過ゲート装置８は、ベース部８０と、ゲート部８１と、ゲート部８１の左端部の下面から下方に延設されたガイド壁部８２と、ゲート部８１の右端部の下面から下方に延設された球侵入防止壁部８３とを備えている。ガイド壁部８２により、ゲート部８１の下方領域には遊技球誘導通路８４が形成され、球侵入防止壁部８３は、遊技球誘導通路８４を挟んでガイド壁部８２と反対側に設けられている。
【００２３】
第２実施形態では、ガイド壁部８２は略く字形状に屈曲された壁状をなしている。詳しくは、ガイド壁部８２は、ゲート部８１の左端部の下面から左斜め下方向に延びる第１壁部８２ａと、第１壁部８２ａの下端部から右斜め下方向に延びる第２壁部８２ｂとから構成され、第２壁部８２ｂは、正面視において外側（遊技球誘導通路８４側とは反対側）に膨らむ略円弧形状をなしている。また、第１壁部８２ａは第２壁部８２ｂよりも長さが短くされ、第２壁部８２ｂは鉛直線Ａを斜めに横切るように鉛直線Ａの右側まで延びている。
【００２４】
球侵入防止壁部８３は、ゲート部８１の右端部の下面から左斜め下方向に、ガイド壁部８２よりも短く延びる壁状をなし、球侵入防止壁部８３の下端部８３ａとガイド壁部８２の下端部８２ｅとの間隔は、遊技球の直径より僅かに大きくされて、下端部８３ａと下端部８２ｅとの間が、遊技球誘導通路８４の出口８４ａとなる。
【００２５】
ガイド壁部８２の第１壁部８２ａの遊技球誘導通路８４側の面８２ｆは、上端が下端に対し、鉛直方向（図７に一点鎖線Ｂで示す方向）から、遊技球誘導通路８４の出口８４ａに近づくように傾斜した傾斜面とされている。面８２ｆは、逆流防止面となるため、以下、逆流防止面８２ｆと表記する。なお、本実施形態でも、逆流防止面８２ｆは平面であるが、円弧面等の湾曲面としてもよい。
【００２６】
第２実施形態の通過ゲート装置８の作用・効果について、図８に基づいて説明する。図８（ａ）に示すように、遊技球Ｂ１は、通過ゲート装置８のゲート部８１を通過すると、ガイド壁部８２に誘導されて出口８４ａに向かう。この誘導途中で、先にゲート部８１を通過して遊技球誘導通路８４から外部に出た遊技球Ｂ２が、遊技釘６に当たって矢印に示すように跳ね返り、遊技球Ｂ１に衝突したとする。すると、遊技球Ｂ１は斜め上方向に逆流するが、逆流防止面８２ｆがその逆流方向に対向するように設けられているため、図８（ｂ）に示すように、遊技球Ｂ１の逆流は逆流防止面８２ｆにより阻止される。したがって、遊技球Ｂ１の２度読みが防止される。
【００２７】
また、第１実施形態と同様に、球侵入防止壁部８３によっても、遊技球Ｂ２の侵入の虞が低減されるので、遊技球Ｂ１が２度読みされる虞は低減される。
【００２８】
さらに、第１実施形態と同様に、真下からの遊技球Ｂ２の侵入はガイド壁部８２によって防止され、ゲート部８１を通過した遊技球Ｂ１が遊技球Ｂ２により真上に押し戻されて２度読みされる虞が低減される。
【００２９】
なお、２度読みの虞の更なる低減のためには、球侵入防止壁部８３を設けることが好ましいが、勿論、球侵入防止壁部８３を設けない形態としてもよい。図９は、第１実施形態において球侵入防止壁部８３を設けない変形例を示す。かかる場合、図９で薄墨を施した部分が、ガイド壁部８２によって形成される遊技球誘導通路８４となり、ガイド壁部８２の下端部８２ｅとゲート部８１の右端部（ガイド壁部８２が設けられている側とは反対側の端部）とを結んだ部分、すなわち、図９の二点鎖線で示す部分が出口８４ａとなる。
【００３０】
また、ガイド壁部８２の形状も適宜変更可能であり、例えば、屈曲ではなく、一部を遊技球誘導通路８４側に膨出させたり、分岐させたりすることにより、逆流防止面８２ｆを形成することとしてもよい。また、ガイド壁部８２の延設長さを短くして、ガイド壁部８２が鉛直線Ａを横切らないようにすることもできる。
【００３１】
また、上記各実施形態では、逆流防止面８２ｆを、上端が下端に対し、鉛直方向から、遊技球誘導通路８４の出口８４ａに近づくように傾斜した傾斜面とすることにより、出口８４ａ方向を向かせる（すなわち、逆流方向に対向するように斜め下方向を向かせる）こととして、遊技球の逆流を防止したが、遊技球の逆流を防止できるのであれば、逆流防止面８２ｆを上端が下端に対し鉛直方向に配置されるような面（すなわち、鉛直面）とするなど、逆流防止面８２ｆの形状は適宜変更可能である。
【００３２】
また、ガイド壁部８２、球侵入防止壁部８３の上端は、必ずしもゲート部８１に接している必要はなく、ゲート部８１の下面とガイド壁部８２の上端との間や、ゲート部８１の下面と球侵入防止壁部８３の上端との間に、遊技球が通過しない程度の隙間を設けてもよい。
【符号の説明】
【００３３】
２…遊技領域
８…通過ゲート装置
８１…ゲート部
８２…ガイド壁部
８２ｆ…逆流防止面
８３…球侵入防止壁部
８４…遊技球誘導通路
８４ａ…出口
【図１】
2011250832.tif 000003
【図２】
2011250832.tif 000004
【図３】
2011250832.tif 000005
【図４】
2011250832.tif 000006
【図５】
2011250832.tif 000007
【図６】
2011250832.tif 000008
【図７】
2011250832.tif 000009
【図８】
2011250832.tif 000010
【図９】
2011250832.tif 000011
【図１０】
2011250832.tif 000012